(57)【要約】      （修正有）【課題】アスピレータに一回で充填待ちインクカートリッジを挿入した後、数回で内部移動部品のプッシュ・プールを通じて充填待ちインクカートリッジ及びインクベッセルにある空気を抽出することができ、何回もアスピレータを抜き出す必要がないアスピレーター及びインクカートリッジ充填装置を提供する。【解決手段】アスピレータ（抽吸器）は、空気貯蔵用の外スリーブ、外スリーブに取り付ける内部移動部品、抽気ノズル、内部移動部品の片側に外スリーブに組合せるピストンを有する。抽気ノズルの一端は外スリーブとつながり、他端は抽出待ちの容器と接続される。ピストンの上に排気チェックバルブを設け、抽気ノズルの上にインレットチェックバルブを設ける。【選択図】図１
0003166189.tif 000002
【実用新案登録請求の範囲】
【請求項１】
空気を貯蔵する外スリーブと、
前記外スリーブに取り付けられ、一端に前記外スリーブに組み合わされるピストンを備えた内部移動部品と、
一端が前記外スリーブとつながり、他端が抽出待ちの容器に接続される抽気ノズルを有し、
前記ピストンの上に一つ排気チェックバルブを設け、前記抽気ノズルにインレットチェックバルブを備えている、アスピレータ。
【請求項２】
前記排気チェックバルブが前記ピストンに設けたエアパス通路及びシールパーツを含み、前記シールパーツが前記外スリーブとの間に隙間嵌めされている、請求項１のアスピレータ。
【請求項３】
前記空気通路が前記ピストンに形成された断面が台形の溝である、請求項１又は２のアスピレータ。
【請求項４】
前記空気通路が前記ピストンの片側に設けた柱状孔である、請求項１〜３のいずれかのアスピレータ。
【請求項５】
前記排気チェックバルブが前記ストンに設けた傘形のプランジャー、バルブホール及び通し穴を含み、前記傘形プランジャーがディスク部及びロッド部からなり、前記ロッド部が前記通し穴に組み合わされる、請求項１〜４のいずれかのアスピレータ。
【請求項６】
前記インレットチェックバルブが前記抽気ノズルに設けたスチールボール及びバルブシートからなり、前記スチールボールの直径が前記抽気ノズルの直径より大きい、請求項１〜５のいずれかのアスピレータ。
【請求項７】
前記インレットチェックバルブが前記抽気ノズルに設ける傘形のプランジャー、バルブホール及びバルブシートからなり、前記傘形プランジャーがディスク部及びロッド部からなり、且つ前記ロッド部が前記通し穴に組み合わされる、請求項１〜４のいずれかのアスピレータ。
【請求項８】
前記内部移動部品の他端にハンドルを設けた、請求項１〜７のいずれかのアスピレータ。
【請求項９】
前記ピストンがピストンリング及びピストン枠からなり、前記ピストンリング及びピストン枠が前記外スリーブの間に隙間嵌めされている、請求項１〜８のいずれかのアスピレータ。
【請求項１０】
インクを収納するインクベッセルと、
インクを充填待ちインクカートリッジに送るインク注入通路と、
前記インクベッセルとつながる抽出通路を有し、
請求項１〜９のいずれかのアスピレータが、前記抽出通路に接続され、連続的に前記インクベッセルと前記インクカートリッジにある空気を抽出するようにしてある、インクカートリッジ充填装置。
【考案の詳細な説明】
【技術分野】
【０００１】
本考案は、インクジェットプリンタ用のインクカートリッジにインクを充填する際に使用するアスピレータ（吸引装置）及びインクカートリッジ充填装置に関する。
【背景技術】
【０００２】
インクジェットプリンタは、プリント信号に基づいて、インクをプリントヘッドのノズルから紙等の記録媒体に噴射して、キャラクター又は図形を記録する。このインクジェットプリンタは、インクジェット技術の発展に伴って、その体積がますます小さくなってきた。そのため、インク容器に対応するインクカートリッジの体積が小さくなり、そのために、ユーザーは頻繁にインクカートリッジを交換する必要が生じている。
【０００３】
また、使用済みのインクカートリッジが廃棄されている。この廃棄されたインクカートリッジは、プラスチック、フィルム等からなる部分を含み、それらのほとんどが自然的に分解しないので、資源の浪費及び環境汚染をもたらす。したがって、最も適切な対策は、インクカートリッジを交換するのではなく、インクカートリッジにインクを再充填して再利用に供することである。このような要求に応じて、市場ではインクカートリッジ充填用のインク充填装置が提供されている。
【０００４】
現在、負圧を利用してインクをインクカートリッジに注入し充填するインクカートリッジ充填装置が使用されている。このインクカートリッジ充填装置は、充填用インクを収納するためのインクベッセルと、インクベッセルに連通した抽気通路と、この抽気通路を介してインクベッセルを減圧するアスピレータを有する。アスピレータは、外スリーブ、内部移動部品、及び抽気ノズルからなる。インクカートリッジ充填装置を用いたインク充填時、充填待ちのインクカートリッジをインクベッセルに置く。抽気ノズルは、抽出通路に繋がる。そして、手でアスピレータ内部の移動部品を引っ張り、それを外スリーブの中で上に移動し、インクベッセルにある空気を抽出する。これにより、インクカートリッジとインクベッセルとの間が真空となる。その結果、手を放すと、気圧差によって内部の移動部品が下に移動し、インクベッセルにあるインクがインクカートリッジに吸引される。この方法は、便利で、素早く、ユーザーの操作も簡単である。
【０００５】
しかし、上述の方法では、インクベッセルとインクカートリッジとの間に密封空間が形成されるため、インクベッセルにある空気を抽出する場合、実際に密封空間全体の空気を抽出することになる。そのため、インクカートリッジに何回もインクを注入すると、インクベッセルのインク量が少なくなる（逆に、空気量が多くなる）。そのため、インクカートリッジにインクを注入し、ユーザーは何回も繰返してアスピレータを差入/抜出してできるだけ密封空間にある空気を抽出しなければならない。したがって、操作が頻繁で、密封性も比較的に悪く、密封空間で十分な真空を形成しにくく、インクカートリッジに充填するインク量を保証できない、という問題がある。
【０００６】
このような問題となる原因は、アスピレータをインクベッセルと組み合わせて使用する際、インクベッセルから抽気しかできないこと、空気をインクベッセルに圧入することにより一定量の空気を抽出できないからである。つまり、何回も充填する場合、インクベッセル及びインクカートリッジに存在する空気量は、アスピレータが毎回で抽出できる空気量を超えるため、インクベッセル及びインクカートリッジに負圧を導入するためには、アスピレータは必ず何回も挿入・抜出さなければならない。換言すると、予め一定量の空気を抽出し、その後にカートリッジを充填装置から取外して排気し、更に充填装置に挿入して抽気するといった一連の動作を繰返してインクベッセル及びインクカートリッジに負圧を導入しなければならず、明らかに、操作が頻繁で、ユーザーの使用に大きな不便をもたらしていた。
【考案の概要】
【考案が解決しようとする課題】
【０００７】
そこで、本考案は、従来のアスピレータではインクベッセル及びインクカートリッジにある空気量がアスピレータが毎回で抽出できる空気量を超えると何回も挿入・抜出さなければならないという問題の解決を図るものである。
【課題を解決するための手段】
【０００８】
この課題を解決するため、本考案は、
空気を貯蔵する外スリーブと、
前記外スリーブに取り付けられ、一端に前記外スリーブに組み合わされるピストンを備えた内部移動部品と、
一端が前記外スリーブとつながり、他端が抽出待ちの容器に接続される抽気ノズルを有し、
前記ピストンの上に一つ排気チェックバルブを設け、前記抽気ノズルにインレットチェックバルブを備えている、アスピレータを提供するものである。
【０００９】
本考案の好ましい形態は、前記排気チェックバルブが前記ピストンに設けたエアパス通路及びシールパーツを含み、前記シールパーツが前記外スリーブとの間に隙間嵌めされている。
【００１０】
本考案の好ましい形態は、前記空気通路が前記ピストンに形成された断面が台形の溝である。
【００１１】
本考案の好ましい形態は、前記空気通路が前記ピストンの片側に設けた柱状孔である。
【００１２】
本考案の好ましい形態は、前記排気チェックバルブが前記ストンに設けた傘形のプランジャー、バルブホール及び通し穴を含み、前記傘形プランジャーがディスク部及びロッド部からなり、前記ロッド部が前記通し穴に組み合わされる。
【００１３】
本考案の好ましい形態は、前記インレットチェックバルブが前記抽気ノズルに設けたスチールボール及びバルブシートからなり、前記スチールボールの直径が前記抽気ノズルの直径より大きい。
【００１４】
本考案の好ましい形態は、前記インレットチェックバルブが前記抽気ノズルに設ける傘形のプランジャー、バルブホール及びバルブシートからなり、前記傘形プランジャーがディスク部及びロッド部からなり、且つ前記ロッド部が前記通し穴に組み合わされる。
【００１５】
本考案の好ましい形態は、前記内部移動部品の他端にハンドルを設けた。
【００１６】
本考案の好ましい形態は、前記ピストンがピストンリング及びピストン枠からなり、前記ピストンリング及びピストン枠が前記外スリーブの間に隙間嵌めされている。
【００１７】
本考案に係るインクカートリッジ充填装置は、
インクを収納するインクベッセルと、
インクを充填待ちインクカートリッジに送るインク注入通路と、
前記インクベッセルとつながる抽出通路を有し、
請求項１〜９のいずれかのアスピレータが、前記抽出通路に接続され、連続的に前記インクベッセルと前記インクカートリッジにある空気を抽出するようにしてある。
【考案の効果】
【００１８】
本考案によれば、アスピレータに一回で充填待ちインクカートリッジを挿入した後、数回で内部移動部品のプッシュ・プールを通じて充填待ちインクカートリッジ及びインクベッセルにある空気を抽出することができ、何回もアスピレータを抜き出す必要がない。
【図面の簡単な説明】
【００１９】
【図１】図１は、本考案の第１実施例に係るアスピレータの分解斜視図である。
【図２ａ】図２ａは、本考案に係るアスピレータの一実施例の断面図である。
【図２ｂ】図２ｂは、本考案に係るアスピレータの不使用時の排気チェックバルブＡ部の部分拡大図である。
【図２ｃ】図２ｃは、本考案に係るアスピレータ不使用時のインレットチェックバルブＣ部の部分拡大図である。
【図３ａ】図３ａは、本考案に係るアスピレータの抽気時の断面図である。
【図３ｂ】図３ｂは、図３ａに示すアスピレータにおけるインレットチェックバルブＤ部の部分拡大図である。
【図４ａ】図４ａは、本考案に係るアスピレータの排気時の断面図である。
【図４ｂ】図４ｂは、排気時の排気チェックバルブＢ部の部分拡大図である。
【図５ａ】図５ａは、本考案の第２実施例に係るアスピレータ（抽気時）の部分断面図である。
【図５ｂ】図５ｂは、本考案の第２実施例に係るアスピレータ（排気時）の部分断面図である。
【図６】図６は、本考案の第３実施例に係るアスピレータの分解斜視図である。
【図７ａ】図７ａは、本考案に係るアスピレータを本考案のインクカートリッジ充填装置に組み付けた状態を示す断面図である。
【図７ｂ】図７ｂは、アスピレータを取外したインクカートリッジ充填装置の断面図である。
【考案を実施するための形態】
【００２０】
以下、添付図面を参照して本考案の実施形態を説明する。
【実施例１】
【００２１】
図１は、本実施例に係るアスピレータ１の分解略図である。図１に示すように、アスピレータ１は外スリーブ２と内部移動部品３を有する。外スリーブ２は、中空の円柱形スリーブであり、内部の空間が空気貯蔵に用いられ、その一端（開口端）２１に開口を開けている。内部移動部品３は、外スリーブ２の開口端２１から外スリーブ２に装入され、外スリーブ２に対して上下を往復移動することにより抽気と排気を交互に行えるようになっている。内部移動部品３は、その一端に外スリーブ２の内壁に組み合わされるピストン３１を有する。内部移動部品３はまた、ピストン３１が外スリーブ２の中を上下に移動することで、アスピレータ１の抽気又は排気の動作を実現する。ユーザーがピストン３１を移動させるために、内部移動部品２の他方端部にはハンドル３２が設けてある。抽気ノズル４は、外スリーブ２の内部と外部を連通しており、アスピレータ１が使用される時抽気待容器（インクカートリッジ）から空気を抽出するために利用され、そのために、外スリーブ２と連通するインレット端４２と抽気待容器に接続される抽出端４１を有する。シールドケース１３は、外スリーブ２に係合され或は螺旋構造によって接続され、抽気ノズル４を収納し、アスピレータ１の不使用時が抽気ノズル４を保護して損壊を防止する。
【００２２】
図１に示すように、ピストン３１は、内部移動部品３と一体的に成型することができる。ピストン３１は、内部移動部品３と別々に製造した後、組み付けることもできる。いずれにしても、ピストン３１は、外スリーブ２の内壁との間に隙間の無い状態で組み合わされ、ピストン３１が外スリーブ２の内壁に沿って移動することを保証する。本実施例中、図２a及び図２bに示すように、ピストン３１は、ピストンリング３１１及びピストン枠３１２からなる。ピストンリング３１１は、内部移動部品３に係合され、ピストン枠３１２がピストンリング３１１に組み合わされる。図２ｂに示すように、ピストンリング３１１はそれを貫通する穴３１３を有する。ピストン枠３１２は排気チェックバルブ５を支持しており、アスピレータ１が排気動作を行う時のみ該排気チェックバルブ５が開き、空気が排気チェックバルブ５及び穴３１３を通じて大気に排出されるようにしてある。本実施例において、排気チェックバルブ５は、ピストン枠３１２に設けたエアパス通路及びピストン枠とピストンリングとの間に配置されたＯリングからなる。本実施例において、エアパス通路は断面が台形の溝５１で、小径を持つ上縁（図の上側にある縁）と大径の下縁（図の下側にある縁）を含み、ピストン枠と外スリーブ内壁との間の隙間に嵌め込まれ、台形溝５１の下縁が外スリーブ２の内部と連通し、上縁が外気と連通している。また、図２bから分かるように、Ｏリング５２は弾性材からなり、外径が外スリーブの内径より少々大きく、内径が台形溝の大径より小さいが台形溝の小径より大きく、そのために、外スリーブとの内壁と台形溝の下縁との間がすべて塞がれ、外スリーブと内部移動部品との間に十分にシールが形成される。
【００２３】
図２aに示すように、アスピレータ１の不使用時、Ｏリング５２は台形溝５１の下縁に位置し、外スリーブ２の内部が外気から遮断されている（図２bを参照）。図３aに示すように、アスピレータ１を用いて抽気する場合、内部移動部品３が矢印Eで示す方向に沿って移動すると、Ｏリング５２は、外スリーブ２内壁との接触によって下向けの摩擦力を受けて台形溝５１の下縁に留まる。そのため、外スリーブ２の内部は外気から遮断されており、外スリーブ２内の空気は外部に排出できない。図４aに示すように、アスピレータ１から排気する場合、内部移動部品３は矢印Fに示す方向に沿って移動される。このとき、Ｏリング５２が外スリーブ２内壁との接触によって上向けの摩擦力を受け、台形溝５１の下縁位置を離れて台形溝５１上縁付近に移動する。その結果、図４bに示すように、外スリーブ２の内部が外気に連通し、抽気段階で外スリーブ２に貯蔵された空気は、図４bに示す矢印に沿って、穴３１３を経て外部に排出される。
【００２４】
図２aに示すように、アスピレータ１は、抽気ノズル４のインレット端４２に、一つインレットチェックバルブ６を備えており、アスピレータ１の抽気時のみ抽気ノズル４が開くようにしてある。本実施例において、インレットチェックバルブ６は、一つボールバルブであり、スチールボール６１とバルブシート６２からなり、スチールボール６１の直径がインレット端４２の直径よりも多少大きくしてある。アスピレータ１の不使用時、図２cに示すように、スチールボール６１はその自重により抽気ノズル４のインレット端４２を塞ぎ、外スリーブ２への空気の侵入を防止する。図３aに示すように、アスピレータ１を抽気に用いる場合、ユーザーはハンドル３２を掴んでピストン３１を引抜き、外スリーブ２の内壁に沿って矢印Eに示す方向に向けて上に移動する。これにより、上述のように、外スリーブ２の内部が外気から遮断され、外スリーブ２に一定の真空が形成される。そして、抽気待の容器（後に説明する）との間に圧力差が生じ、その圧力差に基づいて容器内の空気が外スリーブ２の内部に向けて移動し、スチールボール６１を押し上げ、外スリーブ２内に空気を吸引する。この状態が図３bに示されている。図４aに示すように、アスピレータ１を排気に用いる場合、ユーザーはハンドル３２を掴んでピストン３１を引抜き、外スリーブ２の内壁に沿って矢印Fに示す方向に向けて下に移動する。これにより、上述のように、外スリーブ２の内部が外気に連通し、外スリーブ２の内部にある空気が外部に排出される。また、外スリーブ２の内部の圧力は抽出待ちの容器中の圧力より大きいため、スチールボール６１が抽気ノズル４のインレット端４２を塞ぎ、抽出待ちの容器にある空気が入ることを防止する。
【００２５】
以上のように、アスピレータ１は、排気チェックバルブ５とインレットチェックバルブ６を備えており、アスピレータ１が抽気動作を行う場合、インレットチェックバルブ６が開き、排気チェックバルブ５が閉鎖状態を維持し、抽出した空気を外スリーブ２に貯蔵する。アスピレータ１が排気動作を行う場合、インレットチェックバルブ６が閉じ、排気チェックバルブ５が開き、外スリーブ２に貯蔵されている空気を排出する。ユーザーは、上述した引抜き/押す動作を数回で繰返するだけで、抽出待ちの容器中に十分な真空を形成させることができる。
【００２６】
図７aは、インクカートリッジ充填装置７にアスピレータ１を組み合わせて使用する状態を示す図である。図７aに示すように、インクカートリッジ充填装置７は、インクベッセル８、インク注入通路９、抽出通路１０、位置決め部品１１を有する。インクベッセル８は、充填待ちインクカートリッジ１４に充填するインクを貯蔵する。インク注入通路９は、インクベッセル８内にあり、充填待ちインクカートリッジ１４に接続され、インクベッセル８のインクを充填待ちインクカートリッジ１４に注入するために利用される。充填装置７の不使用時、インク注入通路９は、インクカートリッジ１４とつながる一端が普通ゴムプラグでシールされる。抽出通路１０は、インクベッセル８に直接接続されており、インクベッセル８とインクカートリッジ１４にある空気を抽出してインクベッセル８とインクカートリッジ１４に負圧を形成するために利用されるもので、抽出通路１０にアスピレータ１とつながる抽出口１０１を備えている。アスピレータ１は、抽出通路１０に接続され、インクベッセル８とインクカートリッジ１４にある空気を抽出する。位置決め部品１１は、インクカートリッジ１４の固定に用いられ、充填装置７に対してカートリッジ１４を適正な位置に保持する。インク充填装置７は、それに着脱可能なコネクタパイプ１２を有する。コネクタパイプ１２の一端は抽出口１０１に挿入され、他端はアスピレータ１の抽気ノズル４に組み合わされる。本実施例において、抽出口１０１はセルフクローズシール１０２でシールする。セルフクローズシール１０２は、シリカゲルで作られ、良好的弾力性を有し、中央に自身を貫通するセルフクローズギャップを備えている。セルフクローズギャップ（自閉縫）は通常閉鎖状態にあり、コネクタパイプ１２が挿入されると開状態となる。
【００２７】
ユーザーがインクカートリッジの充填状態を視覚で確認できるように、インクカートリッジ充填装置７は透明材で形成するのが好ましい。以下、図１〜図４、図７a、７bを参照して、アスピレータ１とインクカートリッジ充填装置７の使用を説明する。
（１）インクカートリッジ充填装置７を一つ平面（図示せず）に置き、インク注入通路９のシールパーツを抜出し、インク切れのインクカートリッジ１４を位置決め部品１１に組み込み、インクカートリッジ充填装置７に固定する。この時、インクカートリッジ１４のインク出口をインク注入通路９に接続する。
（２）コネクタパイプ１２を抽出口１０１に挿入し、シールドケース１３を抜いたアスピレータ１をコネクタパイプ１２に接続する。これにより、抽気ノズル４が抽出通路１０につながる。アスピレータ１のインレットチェックバルブ６と排気チェックバルブ５の状態が図２bと２cに示されている。
（３）アスピレータ１の内部移動部品３を引き、インクカートリッジ充填装置７にある空気を抽出する。この時、インレットチェックバルブ６が開き、図３bに示すように、排気チェックバルブ５がクローズを保持し、空気を外スリーブ２に貯蔵する。次に、内部移動部品３を押し下げる。これにより、排気チェックバルブ５が開き、図４bに示すように、外スリーブ２にある空気が排出され、インレットチェックバルブ６が閉じる。内部移動部品３が上に引きにくい感覚が得られるまで、上述した抽気・排気動作を数回で繰返す。
（４）アスピレータ１を取外し、シールドケース１３を取り付ける。この時、インクベッセル８がコネクタパイプ１２を通じて外気と直接につながり、インクベッセル８とインクカートリッジ１４が真空であるため、圧力差の作用でインクがインクベッセル８からインクカートリッジ１４に流れる。
（５）インクベッセル８にあるインクのダウンストップが見えると、インクカートリッジ１４にあるインクが満杯まで注入されたことを示し、インクカートリッジ１４及びコネクタパイプ１２を取外し、元のシールパーツでインク注入通路９をシールする。
【００２８】
上述したインクカートリッジ充填装置７の使用説明から分かるように、本考案に係るアスピレータ１は、従来のアスピレータの抽気及び空気押しの機能を抽気及び排気の機能に置換しているので、インクベッセル８で貯蔵容積が自身より大きい空気量を抽出する場合、一回のみ挿入・抜出をすれば連続的に空気を抽出でき、インクカートリッジ充填装置７の負圧形成過程が簡単になり、また、インク充填装置７の密閉性を保証することができる。
【００２９】
以上の説明から分かるように、上述したアスピレータ１の構造を採用することにより、負圧抽気する操作が簡単になり、また、アスピレータの密閉性が良くなり、十分にユーザーのタイムコストを節約することができる。
【００３０】
なお、インクカートリッジ充填装置７からコネクタパイプ１２を取除くこともできる。この場合、抽出口１０１に普通ゴムプラグシールを採用し、通常は抽出通路１０を塞ぐ。そして、インクカートリッジ充填装置７の使用時、ゴムプラグを抜取り、アスピレータ１の抽気ノズル４を抽出口１０１に直接に接続して、インクベッセル８にある空気を抽出する。
【実施例２】
【００３１】
図５aと５bに示すように、排気チェックバルブ５００は、一つ傘形バルブで構成してもよい。この傘形バルブは、傘形プランジャー５００１，５００２、バルブホール５００３、及び通し穴５００４からなる。傘形プランジャーは、シリカゲル等弾力材で作り、ディスク部５００１及びロッド部５００２を含む。バルブホール５００３と通し穴５００４は、ピストン枠３１２に形成されており、バルブホール５００３が通し穴５００４の周囲に配置されている。図５aに示すように、排気チェックバルブ５００が閉鎖状態にある時、ディスク部５００１がバルブホール５００３を覆い、ロッド部５００２が通し穴５００４にあり、外スリーブ２は外気から遮断されている。図５bに示すように、排気チェックバルブ５００が開状態にある時、ディスク部５００１がバルブホール５００３を開放し、外スリーブ２が外気に連通し、空気を排出することができる。
【００３２】
なお、本実施例では、ピストンリング３１２に穴３１３０を設け、傘形バルブから排出した空気を外気に排出ために利用してもよい。
【００３３】
具体的に言うと、アスピレータ１の抽気時、外スリーブ２にある圧力が外気の圧力より小さいことから、ディスク部５００１がバルブホール５００３を覆う状態を保持する。アスピレータ１の排気時、外スリーブ２の貯蔵空間が小さくなるため、理想的な気体方程式により、この時外スリーブ２にある圧力が高くなり、その圧力が外気の圧力より大きくなると、ディスク部５００１が上に押されて変形し或は元の位置を外れてバルブホール５００３を開け、この時空気が外スリーブ２から排出され、バルブホール５００３を通じて穴３１３０から外気に流れ出る。
【００３４】
傘形プランジャーの排気時、外スリーブ２の圧力が外気より小さければ、元の位置に戻らず、ロッド部５００２に直径が通し穴５００４より大きい突起を設けて、傘形プランジャーの通し穴５００４に対する移動距離を制限し、上述した状況の発生を防止する。
【００３５】
アスピレータ１、インクカートリッジ充填装置７、その他構造及び使用原理は、実施例１に類似しているので、その説明は省略する。
【実施例３】
【００３６】
図６に示すように、アスピレータ１にあるピストン３０１も内部移動部品３０と一体的に成型可能であり、構造が簡単である。しかも、実施例において、排気チェックバルブ５０のエアパス通路は、ピストン３０１片側にある柱状穴５０１に設けられる。上述の図からわかるように、柱状穴５０１の下端が外スリーブ２とつながり、上端が外気とつながる。即ち、柱状穴５０１は、外スリーブ２を外気に接続する作用をなす。また、ピストン３０１にＯリング５０２が設けてある。
【００３７】
具体的に、アスピレータ１が上述の構造を持つ場合、抽気時、Ｏリング５０２は下向き摩擦力を受けて柱状穴５０１の下にあり、外スリーブ２は外気から遮断される。しかし、排気時、Ｏリング５０２は上向けの摩擦力を受けて柱状穴５０１の上にあり、外スリーブ２が外気に接続し、空気が排出することができる。アスピレータ１、インクカートリッジ充填装置７、その他構造及び使用原理は、実施例１に類似しているので、ここでは説明を省略する。
【００３８】
なお、当業者は、傘形バルブの構造をインレットチェックバルブに使用でき、インクベッセルと外スリーブ間との圧力差により開閉を行い、空気の入りを制御するものと理解すべきである。
【００３９】
以上の説明は本考案の好適な実施例に関するものである。したがって、当業者にとって、本考案の技術的範囲を逸脱しない範囲で、若干の変形と改良を行え、例えば柱状穴をピストンの片側に設ける溝等に変更することも可能であり、そのような変形と改良はすべて本考案の技術的範囲に属するものである。
【符号の説明】
【００４０】
１：アスピレータ、２：外スリーブ、２１：口開け側、３、３０：内部移動部品、３１、３０１：ピストン、３１１：ピストンリング、３１２：ピストン枠、３１３、３１３０：穴、３２：ハンドル、４：抽気ノズル、４１：端部、５、５０、５００：排気チェックバルブ、５１：台形溝、５２：Oリング、５０１：柱状穴、５０２： Oリング、５００１：ディスク部、５００２：ロッド部、５００３：バルブホール、５００４：通し穴、６、６０：インレットチェックバルブ、６１：スチールボール、６２：バルブシート、６０１：ディスク部、６０２：ロッド部、６０３：バルブホール、６０４：通し穴、７：インクカートリッジ充填装置、８：インクベッセル、９：インク注入通路、１０：抽出通路、１０１：抽出口、１０２：シールリング、１１：位置決め部品、１２：コネクタパイプ、１３：シールドケース、１４：充填待ちインクカートリッジ。
【図１】
0003166189.tif 000003
【図２ａ】
0003166189.tif 000004
【図２ｂ】
0003166189.tif 000005
【図２ｃ】
0003166189.tif 000006
【図３ａ】
0003166189.tif 000007
【図３ｂ】
0003166189.tif 000008
【図４ａ】
0003166189.tif 000009
【図４ｂ】
0003166189.tif 000010
【図５ａ】
0003166189.tif 000011
【図５ｂ】
0003166189.tif 000012
【図６】
0003166189.tif 000013
【図７ａ】
0003166189.tif 000014
【図７ｂ】
0003166189.tif 000015